(57)【要約】【課題】  排泄物処理本体の運転中にホースが抜けるのを防止する。【解決手段】  一端が排泄物処理本体に接続され、他端がオムツに接続されるホース１６、１７、１８と、排泄物処理本体を収納する筐体１５と、この筐体１５の収納部を閉塞する蓋体１５ｂとを備えた排泄物処理装置において、ホース１６、１７、１８の一端に係止部材４０１、４０２を設けると共に、蓋体１５ｂに、係止部材４０１、４０２に係止してホース１６、１７、１８の抜け出しを防止する抜け防止部材４１０を備えた。【選択図】      図９
2005334544.tif 000002
【特許請求の範囲】
【請求項１】
一端が排泄物処理本体に接続され、他端がオムツに接続されるホースと、前記排泄物処理本体を収納する筐体と、この筐体の収納部を閉塞する蓋体とを備えた排泄物処理装置において、
前記ホースの一端に係止部材を設けると共に、前記蓋体に、前記係止部材に係止して前記ホースの抜け出しを防止する抜け防止部材を備えたことを特徴とする排泄物処理装置。
【請求項２】
前記抜け防止部材は、前記係止部材の背面に向かって延びる板材であり、
前記抜け防止部材の内面が、前記係止部材を前記本体の方向に押えることを特徴とする請求項１に記載の排泄物処理装置。
【発明の詳細な説明】
【技術分野】
【０００１】
ホースを介してオムツに接続される排泄物処理装置に関する。
【背景技術】
【０００２】
一般に、オムツ及び排泄物処理本体を連結するホースと、排泄物処理本体を収納する筐体と、この筐体の収納部を閉塞する蓋体とを備え、排泄物処理本体を運転させて、オムツ内の汚物を吸引し、又はオムツ内を洗浄する排泄物処理装置が知られている（例えば、特許文献１参照）。
【０００３】
この種の排泄物処理装置において、運転中にホースが抜けるのを防止すべく、ホース接続口に設けた係合部に係止させる係止部材をホースの一端に設けて、当該ホースの一端をホース接続口に接続するようにしているものがある。
【特許文献１】特開２００２−１５３４９８号公報
【発明の開示】
【発明が解決しようとする課題】
【０００４】
しかしながら、上記排泄物処理装置では、ホース接続口の係合部やホースに設けた係止部材が劣化した場合、上記排泄物処理装置の運転中にホースの一端がホース接続口から抜けやすくなってしまうことがあるという問題があった。
【０００５】
そこで、本発明の目的は、上述した従来の技術が有する課題を解消し、排泄物処理本体の運転中にホースが抜けるのを防止する排泄物処理装置を提供することにある。
【課題を解決するための手段】
【０００６】
上記課題を解決するため、本発明は、一端が排泄物処理本体に接続され、他端がオムツに接続されるホースと、前記排泄物処理本体を収納する筐体と、この筐体の収納部を閉塞する蓋体とを備えた排泄物処理装置において、前記ホースの一端に係止部材を設けると共に、前記蓋体に、前記係止部材に係止して前記ホースの抜け出しを防止する抜け防止部材を備えたことを特徴とするものである。
【０００７】
上記排泄物処理装置において、前記抜け防止部材は、前記係止部材の背面に向かって延びる板材であり、前記抜け防止部材の内面が、前記係止部材を前記本体の方向に押えてもよい。
【発明の効果】
【０００８】
本発明によれば、排泄物処理本体の運転中にホースが抜けるのを防止することができる。
【発明を実施するための最良の形態】
【０００９】
以下、図面を参照して本発明の実施の形態について説明する。図１は、本発明の実施形態にかかる排泄物処理システム１の構成を示す図である。この図１に示すように、排泄物処理システム１は、使用者３の腰臀部に装着されるオムツ１２と、オムツ１２内部の排泄物または汚水を吸引し蓄積する排泄物処理装置１４と、使用者３が横たわるマット１０とを備えている。オムツ１２と排泄物処理装置１４とは、汚物吸引ホース１６、洗浄水ホース１７および送風ホース１８により連結され、排泄物処理装置１４は、洗浄水ホース１７や送風ホース１８を介して洗浄水や空気をオムツ１２内に供給し、汚物吸引ホース１６を介してオムツ１２内の汚物を吸引する。
【００１０】
図２は、排泄物処理装置１４の外観を示す斜視図である。また、図３は、オムツ１２の外観構成を示す斜視図である。また、図４は、オムツ１２の展開図である。
【００１１】
排泄物処理装置１４は、排泄物処理本体１４ａを備え、この排泄物処理本体１４ａは、筐体１５の収納部１５ａに収納されている。この筐体１５の収納部１５ａの天部には、排泄物処理本体１４ａの一部としての排泄タンク２００および脱臭・除菌器２０７を露出させたり、この収納部１５ａを閉塞する開閉自在の蓋体１５ｂが設けられている。この蓋体１５ｂは、１つの端部が筐体１５に蝶着されており、残りの端部が略Ｌ字状に曲がられて形成されている。そして、この蓋体１５ｂを閉じた場合には、略Ｌ字状に曲がられた端部が、筐体１５の上端部に当接する。
【００１２】
オムツ１２は、図３に示すように、使用者３に装着された状態では、股下が短く膝上丈の、いわゆるショーツ（ショートパンツ）を摸した外観をなしており、その股間に位置する箇所には、汚物収集トレイ１２０及びカップ１２１が設けられている。
【００１３】
排泄物処理本体１４ａには、汚物吸引ホース１６の一端１６ａが接続される汚物吸引ホース接続口２１と、洗浄水ホース１７の一端１７ａが接続される洗浄水ホース接続口２２と、送風ホース１８の一端１８ａが接続される送風ホース接続口２３とが設けられている。
【００１４】
また、汚物収集トレイ１２０のトレイ本体１２０ａには、図４に示すように、汚物吸引ホース１６の他端が接続されるオムツ側汚物吸引ホース接続口１２２と、洗浄水ホース１７の他端が接続されるオムツ側洗浄水ホース接続口１２３と、送風ホースの他端が接続されるオムツ側送風ホース接続口１２４とを有する接続部１２５が設けられている。
【００１５】
これによって、オムツ１２内の排泄物および汚水等の汚物が、排泄物処理装置１４の吸引機構（後述）により、汚物吸引ホース１６を通して排泄物処理装置１４に吸引され、図２に示す排泄物処理装置１４の排泄タンク２００に貯留される。また、排泄物処理装置１４から洗浄水が、洗浄水ホース１７を介してオムツ１２内に供給される。さらに、排泄物処理装置１４から空気あるいは空気とともに洗浄水が、送風ホース１８を介してオムツ１２内に供給される。
【００１６】
各ホース１６、１７、１８の他端は、図３に示すように、汚物収集トレイ１２０の接続部１２５に着脱自在に接続するための接続部材１９に固定されている。この接続部材１９を汚物収集トレイ１２０の接続部１２５に取り付けた際には、汚物吸引ホース１６の他端が、オムツ側汚物吸引ホース接続口１２２に接続され、洗浄水ホース１７の他端が、オムツ側洗浄水ホース接続口１２３に接続され、送風ホース１８の他端が、オムツ側送風ホース接続口１２４に接続される。
【００１７】
オムツ１２は、図４に示すように、カップ１２１から前方に延在し使用者３の臍下付近を覆う腹当て部１２ａと、汚物収集トレイ１２０から後方に延在し、使用者３の臀部を覆う背当て部１２ｂとを有している。すなわち、オムツ１２は、腹当て部１２ａを備えたカップ１２１と、背当て部１２ｂを備えた汚物収集トレイ１２０とを上下に重ね合わせて接続した形状と略等しい形状を有している。
【００１８】
オムツ１２の腹当て部１２ａおよび背当て部１２ｂは、通気性が良く、なおかつ、水分を通さない素材（例えばＰＴＦＥ：ポリテトラフロロエチレン）から形成されており、使用者３が長時間装着し続けても、発汗によるムレが防止されるようになっている。
【００１９】
また、背当て部１２ｂの左側部１２ｂＬと右側部１２ｂＲには、止着部１２６が夫々取り付けられている。これら止着部１２６の上面（図面上面）には、夫々ベルクロワファスナー（いわゆる、マジックテープ（登録商標））が貼着されており、止着部１２６が腹当て部１２ａの表面に止着する構成となっている。
【００２０】
使用者３にオムツ１２を装着する場合には、カップ１２１および汚物収集トレイ１２０を股間にあてがう一方、従来のオシメをはかすように、背当て部１２ｂを臀部に、腹当て部１２ａを臍下付近にあてがい、腰および大腿部に巻き付けるべく背当て部１２ｂの両側部１２ｂＬ、１２ｂＲに設けられた止着部１２６を腹当て部１２ａの上面まで運んで貼付固定する。
【００２１】
図５はオムツ１２の側面図であり、また、図６はその断面図である。これら図５および図６に示すように、オムツ１２は、湾曲したカップ１２１と、背面（使用者３の臀部に対向する面）を略平面とし、底面の一端に、各ホース接続口１２２、１２３、１２４が一体に成形された汚物収集トレイ１２０とを上下に重ねた構成となっている。
【００２２】
また、図６に示すように、この汚物収集トレイ１２０の背面の一端には、オムツ側洗浄水ホース接続口１２３を介して供給された洗浄水を噴射するため、先端に小孔を有する洗浄口１３０ａ、１３０ｂを備えると共に、背面の他端には、オムツ側汚物吸引ホース接続口１２２に向けて設けられ、且つ、洗浄口１３０ａ、１３０ｂに夫々設けられた小孔より大きな開口面積を有する洗浄口１３４ａを備えており、各洗浄口１３０ａ、１３０ｂには、オムツ側洗浄水ホース接続口１２３を介して排泄物処理装置１４から洗浄水が供給され、洗浄口１３４ａには、オムツ側洗浄水ホース接続口１２３よりも太い径のオムツ側送風ホース接続口１２４を介して排泄物処理装置１４から空気と洗浄水とが混合されて供給される構成となっている。
【００２３】
洗浄口１３４ａは、汚物をオムツ側汚物吸引ホース接続口１２２が設けられている方へ押し流すためのものであり、汚物収集トレイ１２０の背面（使用者３の臀部に対向する面）に設けられ、その噴射口の方向がオムツ側汚物吸引ホース接続口１２２を向くように設定されている。洗浄口１３０ａは、使用者３の肛門を洗浄するためのものであり、オムツ側汚物吸引ホース接続口１２２付近に設けられ、その噴射口の方向は、洗浄水が使用者３の肛門に向けて噴射されるように設定されている。また、洗浄口１３０ｂは、女性使用者３の陰部を洗浄するためのものであり、使用者３の下腹部に相当する位置付近に設けられ、その噴射口の方向は、洗浄水が女性使用者３の陰部に向けて噴射されるように設定されている。なお、洗浄水は、使用者３の不快感を招かぬよう適度な温度の温水であることが望ましい。このように、汚物収集トレイ１２０には、女性の陰部（特に、尿内、ちつ等）を洗浄するための洗浄口１３０ｂが設けられているため、排尿後も陰部を清潔に保ち、不快感を覚えることのないようになっている。なお、使用者３が男性である場合を考慮して、洗浄水ホース１７と洗浄口１３０ｂとの間に開閉弁などを設け、洗浄口１３０ａからの洗浄水噴射を選択的に行う構成としても良い。
【００２４】
さらに、汚物収集トレイ１２０の背面には、複数個の水分検知センサ２１７が設けられており、使用者３から排泄物が排泄されたか否かを検出するものとなっている。この水分検知センサ２１７で検出されたことを示す信号は、信号配線２１９（図２）により、後述する排泄物処理装置１４の制御部２１６（図７）へ伝達される。
【００２５】
このような構成の下、使用者３が排泄した後、排泄物処理装置１４から洗浄口１３４ａに洗浄水と空気とが混合されて供給される。これにより、排泄物がオムツ側汚物吸引ホース接続口１２２の方へ流される。次いで、排泄物処理装置１４は、洗浄口１３０ａ、１３０ｂに洗浄水が供給され、使用者３の肛門および陰部の洗浄が行われる。なお、使用者３が男性である場合など、陰部の洗浄が必要ない場合には、洗浄口１３０ｂから洗浄水を噴出しない構成としても良い。
【００２６】
この構成において、排泄物はオムツ側汚物吸引ホース接続口１２２を介して洗浄水や尿などと共に、排泄物処理装置１４により汚物吸引ホース１６を経由して吸引排出される。この汚物吸引ホース１６は、排泄物処理装置１４が汚物を空気の圧力差で吸引しても管径が変化しないよう剛性をもった屈曲管で形成されている。
【００２７】
次いで、排泄物処理装置１４について説明する。図７は、排泄物処理装置１４の構成を示す模式図である。この図７において、排泄タンク２００は、排泄物および汚物（洗浄水など）を貯留するものであり、上述のように、汚物吸引ホース１６を介してオムツ１２のオムツ側汚物吸引ホース接続口１２２に接続されている。排泄タンク２００の内部には、このタンク内に貯留された汚物および排泄物の液面位置を検出する液面センサ２０１が設けられており、排泄タンク２００に貯留されている排泄物および汚物の量が検出される。
【００２８】
２０５は、送風ブロワである。また、排泄タンク２００の上部の出口には、液体を除去し気体のみを通過させるセパレータ２０２が設けられ、このセパレータ２０２（すなわち、排泄タンク２００の出口）は、空気管１４０、脱臭・除菌器２０７、空気管１４１を経て送風ブロワ２０５の吸込口に接続されている。一方、送風ブロワ２０５の吐出口には、空気管１４３、分岐管１４４、空気管１４５が順次接続され、空気管１４５が、送風ホースを介してオムツ側送風ホース接続口１２４（図６）に接続される。これによって、洗浄口１３４ａを通ってオムツ１２内に空気が供給される。空気管１４３と空気管１４５との間に介挿されている分岐管１４４の分岐先には、空気管１５０、二方弁２１８、空気管１５１、分岐管１７０が順次接続されている。
【００２９】
２１０は、洗浄水を貯留する洗浄水タンクである。この、洗浄水タンク２１０の底部には、貯留されている洗浄水を暖める温水ヒータ２１１が設けられ、また、洗浄水タンク２１０の内部には、貯留洗浄水の水温を検出するサーミスタ２１２と、貯留洗浄水の量を検出するフロートセンサ（水位計）２１３とが設けられており、貯留洗浄水の量と、その水温とを監視可能になっている。洗浄水タンク２１０の上部には、図示せぬ注入口が設けられており、この洗浄水タンク２１０に洗浄水を給水する場合には、その注入口から注入する。また、洗浄水タンク２１０の下部には、水抜コック（活栓）２１４を備える水管１４７が接続されており、洗浄水タンク２１０から洗浄水を抜く場合には、水抜コック２１４を開き、水管１４７から洗浄水を外部に流出させる。さらに、洗浄水タンク２１０に設けられた水出口には、水管１４８、ウォータポンプ２１５、水管１４９、分岐管１７０、水管１５２が順次接続される。この水管１５２が、洗浄水ホース１７を介してオムツ側洗浄水ホース接続口１２３（図６）に接続される。これにより洗浄口１３０ａ、１３０ｂを通じてオムツ１２内に洗浄水が供給される。
【００３０】
排泄物処理装置１４は、当該排泄物処理装置１４全体を制御する制御部２１６を備えており、この制御部２１６によって、送風ブロワ２０５、温水ヒータ２１１、ウォータポンプ２１５、二方弁２１８等が制御される。
【００３１】
次に、排泄物処理装置１４の動作について図６及び図７を参照しながら説明する。なお、二方弁２１８は初期状態において閉鎖されている。
【００３２】
この動作は吸引工程、洗浄工程、水抜工程の３工程に大別される。
【００３３】
まず、吸引工程は、オムツ１２から排泄物などを吸引する動作であり、制御部２１６は、二方弁２１８を開き、送風ブロワ２０５を動作させる。これにより、排泄タンク２００内は、送風ブロワ２０５によって空気が吸引されて負圧に保たれ、汚物収集トレイ１２０に設けられたオムツ側汚物吸引ホース接続口１２２より汚物吸引ホース１６、排泄タンク２００、送風ブロワ２０５に向かって空気が流れる一方、送風ブロワ２０５の吐出口から空気管１４３、空気管１４５、送風ホース１８、洗浄口１３４ａを通って、オムツ１２内に空気が循環する。
【００３４】
このとき、制御部２１６がウォータポンプ２１５を運転させることにより、洗浄水が洗浄水タンク２１０から水管１４８、水管１４９、分岐管１７０、二方弁２１８を経て空気管１４５へと流入する。これは、上述のように、洗浄口１３４ａの開口面積が、洗浄口１３０ａ、１３０ｂに夫々設けられた小孔より大きな面積を有するため、圧損が低いからである。そして、この空気管１４５内で前記洗浄水と空気とが混合された状態で、送風ホース１８を介してオムツ１２に送水され、洗浄口１３４ａから噴射されることで汚物の流動性を高めることにより汚物の吸引を行うものである。
【００３５】
さらに詳述すると、送風ブロワ２０５が運転すると、排泄タンク２００が負圧に保たれ、セパレータ２０２により、排泄タンク２００内の空気だけが空気管１４０に導かれ、脱臭・除菌器２０７によって空気に含まれる臭気の除去と、殺菌とが行われ、送風ブロワ２０５の吸込口に流入する。また、送風ブロワ２０５の吐出口から吐出された空気は、上記のように臭気と除菌が行われてオムツ１２内に導かれ、オムツ１２内が衛生に保たれる。
【００３６】
次に、洗浄工程は、使用者３の各部位を洗浄する動作であり、先ず、制御部２１６は、送風ブロワ２０５を動作させる。これにより、排泄タンク２００内は、送風ブロワ２０５によって空気が吸引されて負圧に保たれ、汚物収集トレイ１２０に設けられたオムツ側汚物吸引ホース接続口１２２より汚物吸引ホース１６、排泄タンク２００、送風ブロワ２０５に向かって空気が流れる一方、送風ブロワ２０５の吐出口から空気管１４３、空気管１４５、送風ホース１８、洗浄口１３４ａを通って、オムツ１２内に空気が循環する。
【００３７】
このとき、ウォータポンプ２１５を運転させることにより、洗浄水タンク２１０から洗浄水が水管１４８、水管１４９、分岐管１７０、洗浄水ホース１７を経てオムツ１２の洗浄口１３０ａ、１３０ｂから噴射される。つまり、この洗浄工程にあっては、オムツ１２内から洗浄水を吸引するために、上述した吸引工程における空気の循環と同様の空気の循環も合わせて行われる。
【００３８】
水抜工程は、洗浄水ホース１７内に溜まった洗浄水を排水する動作であり、制御部２１６は、洗浄工程終了の後（すなわち、ウォータポンプ２１５の停止後）、二方弁２１８を開き、送風ブロワ２０５を運転させる。これによって、送風ブロワ２０５から吐出される空気の一部が、分岐管１４４、空気管１５０、二方弁２１８、空気管１５１、分岐管１７０、水管１５２を経て洗浄水ホース１７に導かれるため、洗浄水ホース１７内に溜まった洗浄水を排水できる。これにより、次回洗浄開始時に水管内に溜まった低温の水を少なくでき、使用者３へ噴出する低温の洗浄水を少なくできる。
【００３９】
また、本実施形態の排泄物処理システム１は、操作者（使用者３）などが排泄物処理装置１４の制御部２１６に対して有線又は無線により指示信号を送信して操作するためのリモートコントローラ３０２を備えている。図８に示すように、リモートコントローラ３０２は、吸引ボタン３０２ａと、洗浄ボタン３０２ｂと、停止ボタン３０２ｃとを備えている。吸引ボタン３０２ａは、吸引工程の開始を指示するための操作ボタンであり、洗浄ボタン３０２ｂは、洗浄工程の開始を指示するための操作ボタンである。また、停止ボタン３０２ｃは、吸引工程および洗浄工程の停止を指示するための操作ボタンである。このように、リモートコントローラ３０２による操作を可能としたのは、操作者が使用者３であって、寝たきりの人である場合に、その操作者が操作し易くするためである。
【００４０】
ここで、排泄物処理装置１４は、蓋体１５ｂの開閉を検出するセンサ２２０（図７）を備えており、制御部２１６に接続されている。このセンサ２２０は、例えば、リミットスイッチ等であり、筐体１５において蓋体１５ｂが閉じている場合に蓋体１５ｂに当接する箇所に設置されている。
【００４１】
制御部２１６は、センサ２２０による検出の結果、蓋体１５ｂが開いている場合、排泄物処理本体１４ａの運転を禁止している（運転禁止手段）。例えば、排泄物処理本体１４ａの運転中に蓋体１５ｂが開けられた場合、制御部２１６は、直ちに運転を停止するようにしている。更に、制御部２１６は、蓋体１５ｂが開いている場合、リモートコントローラ３０２の各種操作を無視している。これによって蓋体１５ｂが開けられた場合の安全性が確保されている。
【００４２】
さて、図９は、排泄物処理本体１４ａの各ホース接続口２１、２２、２３（図２）に各ホース１６、１７、１８が接続された状態で蓋体１５ｂが閉じられた状態を示す開口部４００付近の部分斜視図である。また、図１０は、排泄物処理本体１４ａの各ホース接続口２１、２２、２３（図２）に各ホース１６、１７、１８が接続された状態で蓋体１５ｂが開かれた状態を示す開口部４００付近の部分斜視図である。
【００４３】
図２、図９及び図１０に示すように、筐体１５には、汚物吸引ホース１６、洗浄水ホース１７及び送風ホース１８並びに信号配線２１９を外部に導出するための開口部４００が形成されている。この開口部４００は、筐体１５の側面上部に形成されている。
【００４４】
排泄物処理本体１４ａの各接続口２１、２２、２３は、図２に示すように、開口部４００に対応する位置に配置されている。
【００４５】
汚物吸引ホース１６の一端１６ａには、当該汚物吸引ホース１６の一端１６ａを保持する係止部材４０１が設けられている。また、洗浄水ホース１７の一端１７ａ及び送風ホース１８の一端１８ａには、当該洗浄水ホース１７の一端１７ａ及び送風ホース１８の一端１８ａを一体的に保持する係止部材４０２が設けられている。
【００４６】
一方、汚物吸引ホース接続口２１には、接続口係合部４０３が形成されている。また、洗浄水ホース接続口２２及び送風ホース接続口２３には、接続口係合部４０４が形成されている。
【００４７】
そして、係止部材４０１が接続口係合部４０３に係合して係止されることで、汚物吸引ホース１６の一端１６ａが汚物吸引ホース接続口２１に接続される。また、係止部材４０２が接続口係合部４０４に係合して係止されることで、洗浄水ホース１７の一端１７ａ及び送風ホース１８の一端１８ａのそれぞれが洗浄水ホース接続口２２及び送風ホース接続口２３のそれぞれに接続される。
【００４８】
係止部材４０１には、図１０に示すように、操作者によって係脱が操作される一対の操作部４０５が備えられている。これら一対の操作部４０５は、汚物吸引ホース１６の一端１６ａを挟んで設けられている。同様に、係止部材４０２には、操作者によって係脱が操作される一対の操作部４０６が備えられている。
【００４９】
従って、操作者が操作部４０５を操作することによって係止部材４０１を接続口係合部４０３に係脱させることができ、汚物吸引ホース１６の一端１６ａを汚物吸引ホース接続口２１に着脱することができる。また、操作者が操作部４０６を操作することによって係止部材４０２を接続口係合部４０４に係脱させることができ、洗浄水ホース１７の一端１７ａ及び送風ホース１８の一端１８ａのそれぞれを洗浄水ホース接続口２２及び送風ホース接続口２３のそれぞれに着脱することができる。
【００５０】
ところで、接続口係合部４０３、４０４や係止部材４０１、４０２が劣化した場合、排泄物処理本体１４ａの運転中にホース１６、１７、１８の一端１６ａ、１７ａ、１８ａがホース接続口２１、２２、２３から抜けやすくなってしまうことがある。
【００５１】
本実施形態では、この蓋体１５ｂの端部において開口部４００に対向する位置には、係止部材４０１、４０２に係止してホース１６、１７、１８の抜け出しを防止する抜け防止部材４１０（図９）が設けられている。つまり、この蓋体１５ｂに設けた抜け防止部材４１０は、ホース１６、１７、１８の一端１６ａ、１７ａ、１８ａ（図２）がホース接続口２１、２２、２３（図２）に接続された状態で当該蓋体１５ｂが閉められた場合に、係止部材４０１、４０２を本体の方向（図９中、矢印Ｘ方向）に押えるものである。
【００５２】
この抜け防止部材４１０は、板材であり、蓋体１５ｂの端部にねじ等で固定される固定部４１０ａと、蓋体１５ｂを閉めた状態で各操作部４０５、４０６の背面（本体に対向する面とは反対の面）に向かって延びる延出部４１０ｂとを備えている。従って、この抜け防止部材４１０の延出部４１０ｂに各操作部４０５、４０６が係止され、各ホース１６、１７、１８の一端１６ａ、１７ａ、１８ａが、ホースの抜け方向（図９中、矢印Ｘ方向とは反対方向である矢印Ｙ方向）に抜けるのを防止することができる。
【００５３】
また、この抜け防止部材４１０の延出部４１０ｂは、蓋体１５ｂを閉めた状態において各係止部材４０１、４０２における操作部４０５、４０６の背面を覆っている。従って、、蓋体１５ｂが閉じている状態では、操作者は、各係止部材４０１、４０２の操作部４０５、４０６を操作することができない。これによって、排泄物処理本体１４ａの運転中に操作者によってホース１６、１７、１８が誤って抜かれてしまうのを防止することができる。
【００５４】
一方、蓋体１５ｂが開いているときに、図１０に示すように、係止部材４０１、４０２が露出することとなるので、ホース１６、１７、１８の着脱が可能となる。例えば、排泄タンク２００内の汚物を捨てる際には、介護者によって筐体１５の蓋体１５ｂが開けられ、汚物吸引ホース１６が排泄物処理本体１４ａから抜き取られて、排泄タンク２００が筐体１５から取り外される。そして、空になった排泄タンク２００が再び筐体１５内に収納され、排泄物処理本体１４ａに汚物吸引ホース１６が接続されて、筐体１５の蓋体１５ｂが閉じられる。つまり、蓋体１５ｂを開けた状態で汚物吸引ホース１６の着脱が行われる。
【００５５】
さて、介護者がホースの一端１６ａ、１７ａ、１８ａを排泄物処理本体１４ａのホース接続口２１、２２、２３（図２）に接続するのを忘れてしまったり、ホース１６、１７、１８がきちんと接続されていないなど、ホースの一端１６ａ、１７ａ、１８ａがホース接続口２１、２２、２３から外れていることがある。仮にこのような状態で排泄物処理本体１４ａを運転させてしまうと、水や汚物がホースの一端１６ａ、１７ａ、１８ａあるいはホース接続口２１、２２、２３から外部に噴出してしまうこととなる。
【００５６】
そこで本実施形態では、開口部４００には、図１０に示すように、蓋体１５ｂの閉塞を許可する許可位置と、蓋体１５ｂの閉塞を許可しない不許可位置との間を移動するストッパ４２１、４２２が設けられている。これらストッパ４２１、４２２の基端は、筐体１５の内面に連結されている。また、ストッパ４２１、４２２の自由端は、筐体１５の開口部４００に臨み、この開口部４００を通じて許可位置と不許可位置との間を移動可能としている。ここで、ストッパ４２１は、ホース１６に対応して設けられており、ストッパ４２２は、ホース１７、１８に対応して設けられている。
【００５７】
これらストッパ４２１、４２２は、オムツ１２（図１）及び排泄物処理本体１４ａのホース連結時に、許可位置に移動し、オムツ１２及び排泄物処理本体１４ａのホース不連結時に、不許可位置に移動する。即ち、ストッパ４２１は、汚物吸引ホース１６の一端１６ａが汚物吸引ホース接続口２１（図２）に接続された時に、許可位置に移動し、汚物吸引ホース１６の一端１６ａが汚物吸引ホース接続口２１から取り外された時に、不許可位置に移動する。同様に、ストッパ４２２は、各ホース１７、１８の一端１７ａ、１８ａが各ホース接続口２２、２３に接続された時に、許可位置に移動し、各ホース１７、１８の一端１７ａ、１８ａが各ホース接続口２２、２３から取り外された時に、不許可位置に移動する。
【００５８】
以下、ストッパ４２２の構成について具体的に説明する。図１１は、ストッパ４２２の斜視図であり、図１２は、図１０の矢印Ａ−Ａ’方向の断面から見たホース１７、１８がホース接続口２２、２３から外れている場合の説明図であり、図１３は、図１０の矢印Ａ−Ａ’方向の断面から見たホース１７、１８がホース接続口２２、２３に接続されている場合の説明図である。なお、ストッパ４２１は、ストッパ４２２と略同様の構成であるので、説明を省略する。
【００５９】
ストッパ４２２は、金属製であり、図１１乃至図１３に示すように、一端４２２ｃが筐体１５の内面に連結される板ばね部４２２ａと、この板ばね部４２２ａの他端に連設され、筐体１５の開口部４００に臨む自由端としての突出部４２２ｂとを備えている。
【００６０】
この突出部４２２ｂは、ホース接続口２２、２３にホース一端１７ａ、１８ａが接続されていない場合にホース接続口２２、２３近傍から筐体１５外部に向けて、開口部４００を通じて蓋体１５ｂの端部に引っ掛る不許可位置まで突出する（図１２参照）。
【００６１】
つまり、ホース１７、１８が排泄物処理本体１４ａ（図２）から外れている場合は、ストッパ４２２の突出部４２２ｂが不許可位置に移動している。そして、ストッパ４２２の突出部４２２ｂが不許可位置に移動している場合は、突出部４２２ｂが蓋体１５ｂの端部に引っ掛り、蓋体１５ｂはきちんと閉まらずに浮いた状態となる。このように蓋体１５ｂが開いている状態の場合は、上述したように、排泄物処理本体１４ａの運転が禁止されているので、リモートコントローラ３０２（図８）が操作されたとしても、排泄物処理本体１４ａは、運転停止した状態に保持されている。ホース１６が外れている場合もストッパ４２１が同様に動作し、排泄物処理本体１４ａは、運転停止した状態に保持されている。これによって、ホースが排泄物処理本体１４ａから外れている場合は、排泄物処理本体１４ａの運転が停止している状態に保持されているので、汚物が汚物吸引ホース１６から外部に噴出するのを防止することができるとともに、洗浄水が、ホース接続口２２、２３から外部に噴出するのを防止することができる。
【００６２】
また、オムツ１２及び排泄物処理本体１４ａのホース連結時に、ホース１７、１８の係止部材４０２により、ストッパ４２２の突出部４２２ｂが押し退けられて、ストッパ４２１、４２２が許可位置に移動する（図１３参照）。つまり、ホース一端１７ａ、１８ａがホース接続口２２、２３に接続される場合には、ストッパ４２２の突出部４２２ｂがホース一端１７ａ、１８ａに設けた係止部材４０２により押圧され、ストッパ４２２の板ばね部４２２ａが撓み、ストッパ４２２の突出部４２２ｂが筐体１５内方向に許可位置まで押し込まれる。
【００６３】
これによって、ホース１６、１７、１８が排泄物処理本体１４ａに接続されている場合は、蓋体１５ｂがきちんと閉まり、リモートコントローラ３０２（図８）の操作が許可され、排泄物処理本体１４ａの運転が可能となる。
【００６４】
以上、一実施形態に基いて本発明を説明したが、本発明は、これに限定されるものではない。
【００６５】
例えば、上記実施形態では、ストッパ４２１、４２２を押圧するのがホースの一端に設けた係止部材４０１、４０２であったが、これに限るものではなく、係止部材４０１、４０２とは別にストッパ４２１、４２２を押圧する押圧部材をホースの一端に設けてもよい。
【図面の簡単な説明】
【００６６】
【図１】本発明の実施形態にかかる排泄物処理システムの構成を示す図である。
【図２】排泄物処理装置の外観を示す斜視図である。
【図３】オムツの外観構成を示す斜視図である。
【図４】同オムツの展開図である。
【図５】同オムツの側面図である。
【図６】同オムツの断面図である。
【図７】排泄物処理装置の構成を示す模式図である。
【図８】同排泄物処理装置を操作するためのリモートコントローラを示す図である。
【図９】蓋体が閉じられた状態を示す開口部付近の部分斜視図である。
【図１０】蓋体が開かれた状態を示す開口部付近の部分斜視図である。
【図１１】ストッパを示す斜視図である。
【図１２】図１０の矢印Ａ−Ａ’方向の断面から見たホースが外れている場合の説明図である。
【図１３】図１０の矢印Ａ−Ａ’方向の断面から見たホースが接続されている場合の説明図である。
【符号の説明】
【００６７】
１  排泄物処理システム
１２  オムツ
１４  排泄物処理装置
１４ａ  排泄物処理本体
１５  筐体
１５ａ  収納部
１５ｂ  蓋体
１６  汚物吸引ホース（ホース）
１７  洗浄水ホース（ホース）
１８  送風ホース（ホース）
４００  開口部
４０１、４０２  係止部材
４１０  抜け防止部材
【図１】
2005334544.tif 000003
【図２】
2005334544.tif 000004
【図３】
2005334544.tif 000005
【図４】
2005334544.tif 000006
【図５】
2005334544.tif 000007
【図６】
2005334544.tif 000008
【図７】
2005334544.tif 000009
【図８】
2005334544.tif 000010
【図９】
2005334544.tif 000011
【図１０】
2005334544.tif 000012
【図１１】
2005334544.tif 000013
【図１２】
2005334544.tif 000014
【図１３】
2005334544.tif 000015